(57)【要約】      （修正有）【課題】汚水や不純物が水道管に侵入することを効果的に防ぐことができる水道用サドル付分水栓を提供する。【解決手段】サドル本体１１、水入口パイプ通過孔１２及びメインパイプ通過部１３が含まれるサドル１と、分水栓部２１、外周壁または内周壁にはネジ溝３１１が設置され、水入口パイプ通過孔を通過するように設置される水入口パイプ部２２及び分水パイプ部２３が含まれる分水栓２と、パイプ嵌合部３１、パイプ嵌合部の一端に連接される接合部３２、及び接合部に密接する隔離パッド３３が含まれる隔離管と、が含まれ、前記パイプ嵌合部が外周壁又は内周壁に対応接合ネジ溝２２２が設置されて、前記パイプ嵌合部の外周壁が前記水入口パイプの内周壁と螺合する、あるいは前記パイプ嵌合部の内周壁が前記水入口パイプ部の外周壁と螺合することにより、前記水入口パイプ部と螺合する。【選択図】図２
0003224907.tif 000002
【実用新案登録請求の範囲】
【請求項１】
水道管に用いられることにより水道を分流させる水道用サドル付分水栓であって、
水入口パイプ通過孔が上表面に形成される上サドルと、前記上サドルとともに前記水道管を囲むように設置されてメインパイプ通過部を形成する下サドルとが含まれ、かつ前記水道管が前記メインパイプ通過部を通過させるように設置されるサドル本体が含まれるサドルと、
分水栓部と、前記分水栓部から伸ばされ、かつ外周壁または内周壁にはネジ溝が設置され、前記水入口パイプ通過孔を通過するように設置される水入口パイプ部及び分水パイプ部と、が含まれる分水栓と、
パイプ嵌合部、前記パイプ嵌合部の一端に連接される接合部、及び前記接合部に密接する隔離パッドが含まれる隔離管と、
が含まれ、前記パイプ嵌合部の管内空間、前記接合部の管内空間、及び前記隔離パッドの管内空間が連通するように設置されてパイプ通路が形成され、前記パイプ嵌合部が外周壁又は内周壁に対応接合ネジ溝が設置されて、前記パイプ嵌合部の外周壁が前記水入口パイプ部の内周壁と螺合する、あるいは前記パイプ嵌合部の内周壁が前記水入口パイプ部の外周壁と螺合することにより、前記水入口パイプ部と螺合して螺合接合部が形成され、互いに螺合した前記パイプ嵌合部及び前記水入口パイプ部が前記水入口パイプ通過孔に通過するように設置されて、前記隔離パッドが前記水道管を接合連接することにより、前記水道管における水を順に前記隔離パッド、前記接合部、前記螺合接合部、及び前記分水栓部に通して前記分水パイプ部に流れることを特徴とする水道用サドル付分水栓。
【請求項２】
前記パイプ嵌合部の外周壁が前記水入口パイプ部の内周壁と螺合し、前記水入口パイプ部の外周壁には複数の係止部を有し、前記水入口パイプ通過孔の周壁には複数の対応係止部を有し、複数の前記係止部と複数の前記対応係止部が前記水入口パイプ部と前記水入口パイプ通過孔が互いに係止されるようにそれぞれに係止することを特徴とする請求項１に記載する水道用サドル付分水栓。
【請求項３】
前記パイプ嵌合部の内周壁が前記水入口パイプ部の外周壁と螺合し、前記水入口パイプ部の外周壁には複数の係止部を有し、前記水入口パイプ通過孔の周壁には複数の対応係止部を有し、複数の前記係止部と複数の前記対応係止部が前記水入口パイプ部と前記水入口パイプ通過孔が互いに係止されるようにそれぞれに係止することを特徴とする請求項１に記載する水道用サドル付分水栓。
【請求項４】
前記パイプ嵌合部の外周壁が前記水入口パイプ部の内周壁と螺合し、前記水道用サドル付分水栓の分流装置には隔離リングがさらに含まれ、前記隔離リングが前記パイプ嵌合部の外周壁を囲むように設置され、かつ前記隔離リングが汚水や不純物が前記水入口パイプ部の外周壁と水入口通過孔の内周壁との間の隙間から前記水道管に浸入することを防ぐように前記水入口パイプ部及び前記水入口通過孔の下端部に密接して設置されることを特徴とする請求項１に記載する水道用サドル付分水栓。
【請求項５】
前記パイプ嵌合部の内周壁が前記水入口パイプ部の外周壁と螺合し、前記水道用サドル付分水栓の分流装置には隔離リングがさらに含まれ、前記隔離リングが前記パイプ嵌合部の外周壁を囲むように設置され、かつ前記隔離リングが汚水や不純物が前記水入口パイプ部の外周壁と水入口通過孔の内周壁との間の隙間から前記水道管に浸入することを防ぐように前記水入口パイプ部及び前記水入口通過孔の上端部と密接することを特徴とする請求項１に記載する水道用サドル付分水栓。
【請求項６】
前記接合部の外周周りに溝が形成されていて、前記隔離パッドの内周面の前記溝に対応する位置に対応した凸部が形成されて、前記隔離パッドが前記凸部を前記溝に係合することにより前記接合部の外周面に嵌合されることを特徴とする請求項１に記載する水道用サドル付分水栓。
【請求項７】
前記接合部がフランジであることを特徴とする請求項１に記載する水道用サドル付分水栓。
【請求項８】
前記隔離管が前記パイプ嵌合部の外周壁を前記水入口パイプ部の内周壁と螺合することにより前記水入口パイプ部と螺合するものであり、前記水道用サドル付分水栓が前記パイプ嵌合部の外周壁を囲むように設置されて前記水入口パイプ部の内周壁と密接する漏れ止めリングがさらに含まれることを特徴とする請求項１に記載する水道用サドル付分水栓。
【請求項９】
前記隔離管が前記パイプ嵌合部の内周壁を前記水入口パイプ部の外周壁と螺合することにより前記水入口パイプ部と螺合するものであり、前記水道用サドル付分水栓が前記パイプ嵌合部の下端部に嵌合して前記パイプ嵌合部の内周壁と密接する漏れ止めリングがさらに含まれることを特徴とする請求項１に記載する水道用サドル付分水栓。
【考案の詳細な説明】
【技術分野】
【０００１】
本考案は分水栓に関するものであって、特には水道用サドル付分水栓に関する。
【背景技術】
【０００２】
水道機関が提供する水道水が水道を通して各地の使用者に供給されるように、水道の配水本管と配水支管との間に分水栓が配置されるのが一般的であり、前記分水栓は水道水を各使用者の水道に分流するように、一方が供給端の水道と連接し、もう一方が使用者の水道と連接するものである。
【０００３】
分水栓は一般的にサドルによって水道管に設置される。しかしながら、従来の分水栓とサドルとの間の接続構造の設計欠陥により、水道の配水管周囲の汚水や不純物が分水栓とサドルとの間の接続構造から水道管に浸入するきらいがあり、水道水が汚染されることになる。故に改良の必要がある。
【考案の概要】
【考案が解決しようとする課題】
【０００４】
故に、本考案の目的は汚水や不純物が水道管に浸入することを効果的に防ぐことができる水道用サドル付分水栓を提供する。
【課題を解決するための手段】
【０００５】
本考案の一つの実施形態において水道管に用いられることにより水道を分流させる水道用サドル付分水栓であって、それぞれ前記水道管を囲むように設置されて水入口パイプ通過孔とメインパイプ通過部を形成し、かつ前記水道管が前記メインパイプ通過部を通過させるように設置されるサドル本体が含まれるサドルと、分水栓部及び前記分水栓部から伸ばされて、外周壁または内周壁にはネジ溝が設置され、前記水入口パイプ通過孔を通過するように設置される水入口パイプ部、及び分水パイプ部が含まれる分水栓と、パイプ嵌合部、前記パイプ嵌合部の一端に連接される接合部、及び前記接合部に密接する隔離パッドが含まれる隔離管と、が含まれ、前記パイプ嵌合部、前記接合部、及び前記隔離パッドが囲むように設置されてパイプ通路が形成されて、前記パイプ嵌合部が外周壁又は内周壁に対応接合ネジ溝が設置されて、前記パイプ嵌合部の外周壁が前記水入口パイプ部の内周壁と螺合、あるいは前記パイプ嵌合部の内周壁が前記水入口パイプ部の外周壁と螺合することにより、前記水入口パイプ部と螺合して接合され、互いに螺合した前記パイプ嵌合部及び前記水入口パイプ部が前記水入口パイプ通過孔に通過するように設置されて、前記隔離パッドが前記水道管を接合連接することにより、前記水道管における水を順に前記隔離パッド、前記接合部、互いに螺合した前記パイプ嵌合部及び前記水入口パイプ部、及び前記分水栓部に通して前記分水パイプ部に流れることを特徴とする水道用サドル付分水栓を提供する。
【０００６】
本考案の一つの実施形態では前記パイプ嵌合部の外周壁が前記水入口パイプ部の内周壁と螺合して、前記水入口パイプ部の外周壁には複数の係止部を有し、前記水入口パイプ通過孔の内周壁には複数の対応係止部を備え、複数の前記係止部と複数の前記対応係止部が前記水入口パイプ部と前記水入口パイプ通過孔が互いに係止されるようにそれぞれに係止することを特徴とする水道用サドル付分水栓を提供する。
【０００７】
本考案の一つの実施形態では前記パイプ嵌合部の内周壁が前記水入口パイプ部の外周壁と螺合して、前記水入口パイプ部の外周壁には複数の係止部を有し、前記水入口パイプ通過孔の内周壁には複数の対応係止部を備え、複数の前記係止部と複数の前記対応係止部が前記水入口パイプ部と前記水入口パイプ通過孔が互いに係止されるようにそれぞれに係止することを特徴とする水道用サドル付分水栓を提供する。
【０００８】
本考案の一つの実施形態では前記パイプ嵌合部の外周壁が前記水入口パイプ部の内周壁と螺合して、前記水道用サドル付分水栓の分流装置には隔離リングがさらに含まれ、前記隔離リングが前記パイプ嵌合部の外周壁を囲むように設置され、かつ汚水や不純物が前記水入口パイプ部の外周壁と前記水入口通過孔の内周壁との間の隙間から前記水道管に浸入することを防ぐように前記水入口パイプ部及び前記水入口通過孔の下端部に密接して設置されることを特徴とする水道用サドル付分水栓を提供する。
【０００９】
本考案の一つの実施形態では前記パイプ嵌合部の内周壁が前記水入口パイプ部の外周壁と螺合して、前記水道用サドル付分水栓の分流装置には隔離リングがさらに含まれ、前記隔離リングが前記パイプ嵌合部の外周壁を囲むように設置され、かつ汚水や不純物が前記水入口パイプ部の外周壁と前記水入口通過孔の内周壁との間の隙間から前記水道管に浸入することを防ぐように前記水入口パイプ部及び前記水入口通過孔の上端部に密接して設置されることを特徴とする水道用サドル付分水栓を提供する。
【００１０】
本考案の一つの実施形態では前記接合部の外周周りに溝が形成されていて、前記隔離パッドの内周面の前記溝に対応する位置に対応した凸部が形成されて、前記隔離パッドが前記凸部を前記溝に係合することにより前記接合部の外周面に嵌合されることを特徴とする水道用サドル付分水栓を提供する。
【００１１】
本考案の一つの実施形態では前記接合部がフランジであることを特徴とする水道用サドル付分水栓を提供する。
【００１２】
本考案の一つの実施形態では前記隔離管が前記パイプ嵌合部の外周壁を前記水入口パイプ部の内周壁と螺合することにより前記水入口パイプ部と螺合するものであり、前記水道用サドル付分水栓が前記パイプ嵌合部の外周壁に嵌合して前記水入口パイプ部の内周壁と密接する漏れ止めリングがさらに含まれることを特徴とする水道用サドル付分水栓を提供する。
【００１３】
本考案の一つの実施形態では前記隔離管が前記パイプ嵌合部の内周壁を前記水入口パイプ部の外周壁と螺合することにより前記水入口パイプ部と螺合するものであり、前記水道用サドル付分水栓が前記パイプ嵌合部の端部に嵌合して前記水入口パイプ通過孔の端部と密接する漏れ止めリングがさらに含まれることを特徴とする水道用サドル付分水栓を提供する。
【考案の効果】
【００１４】
本考案の水道用サドル付分水栓の技術効果は以下に示す。本考案では前記分水栓と前記隔離管を螺合の手段で互いに螺合して、及び前記サドルを用いて前記水道管に接合される。これにより、本考案は汚水や不純物が前記分水栓と前記サドルの接合部から前記水道管に進入することを有効的に防ぐことができ、水道水が汚染されることを避ける。より好ましくは、本考案が前記分水栓と前記隔離管の螺合構造に沿って前記パイプ嵌合部の外周壁あるいは前記水入口パイプ部の外周壁に前記隔離リングを増設し、汚水や不純物が前記分水栓と前記サドルの接合部または水道管の配水管路の周辺環境から前記水道管に進入することを防ぐ。なお、従来のサドルの接合構造には分水栓と接合するネジ溝を形成させるための加工工程を行う必要はあるが、本考案のサドルはネジ溝を形成させるための加工工程を行う必要がなく、サドルの製造工程を簡素化することができる。
【図面の簡単な説明】
【００１５】
図１は本考案の一つの実施形態の水道用サドル付分水栓を示す分解斜視図である。
図２は本考案の一つの実施形態の水道用サドル付分水栓を示す断面図である。
図３は本考案のもう一つの実施形態の水道用サドル付分水栓示す分解斜視図である。
図４は本考案のもう一つの実施形態の水道用サドル付分水栓示す断面図である。
【考案を実施するための形態】
【００１６】
以下は図１〜図４に基いて、本考案の実施形態について説明する。該当説明は本考案の実施形態の一つの例示にすぎず、本考案の実施形態を限定するものではない。
【００１７】
図１と図２を参照していただきたい。本考案の一つの実施形態の水道用サドル付分水栓１００は、水道Ｐを水道用サドル付分水栓１００を通して分水させるものである。水道用サドル付分水栓１００にはサドル１、分水栓２及び隔離管３が含まれる。
【００１８】
図１及び図２が示すように、サドル１はサドル本体１１、水入口パイプ通過孔１２及びメインパイプ通過部１３が含まれる。サドル本体１１は上サドル１１１及び下サドル１１２が含まれて、サドル本体１１が水道管Pをメインパイプ通過部１３に通過させるように水道管Pを囲んで設置される。具体的にいうと、上サドル１１１と下サドル１１２の両側をネジで固定する方法により水道管Pをメインパイプ通過部１３に固定させる。
【００１９】
図１及び図２が示すように、分水栓２は分水栓部２１、及び分水栓部２１から伸ばされる水入口パイプ部２２と分水パイプ部２３が含まれる。具体的に言うと、水入口パイプ部２２は分水栓部２１の底部から伸ばされて、分水パイプ部２３は分水栓部２１の前側から伸ばされる。水入口パイプ部２２は水入口パイプ通過孔１２に通過するように設置される。
【００２０】
図１及び図２が示すように、水入口パイプ部２２の外周壁には突起である複数の係止部２２１を有する。水入口パイプ通過孔１２の周壁には凹みである複数の対応係止部１２１を有する。本実施形態では、係止部２２１と対応係止部１２１がそれぞれ二つずつ存在していて、水入口パイプ部２２と水入口通過孔１２の位置が合せるように互いに係止される。
【００２１】
図１及び図２が示すように、隔離リング３がパイプ嵌合部３１、パイプ嵌合部３１の一端に連接する接合部３２及び接合部３２に密接する隔離パッド３３が含まれていて、パイプ嵌合部３１の管内空間と隔離パッド３３の管内空間が連通して管路Ｒが形成される。パイプ嵌合部３１の外周壁には対応接合ネジ溝３１１が設置されていて、パイプ嵌合部３１が水入口パイプ部２２と螺合することにより、前記水入口パイプ部２２と螺合して螺合接合部が形成される。具体的に言うと、本実施形態では、パイプ嵌合部３１の外周壁が対応接合ネジ溝３１１と接合ネジ溝２２２との接合により水入口パイプ部２２の内周壁と螺合して、かつ水入口パイプ部２２の外周壁が水入口パイプ通過孔１２の内周壁と密接する。隔離パッド３３は水道管Ｐと連通することにより、水道管Ｐの水を順序に隔離パッド３３から接合部３２、螺合接合部及び分水栓部２１を通して分水パイプ部２３へ流させる。
【００２２】
図１及び図２が示すように、水道用サドル付分水栓の分流装置１００には隔離リング３４と漏れ止めリング３５がさらに含まれる。隔離リング３４がパイプ嵌合部３１の外周壁を囲むように設置され、かつ水入口パイプ部２２及び水入口パイプ部通過孔１２の下端部１２３と密接するように配置されることにより、汚水や不純物が水入口パイプ部２２の外周壁と前記水入口通過孔１２の内周壁との間の隙間から水道管Pに浸入することを防ぐ。漏れ止めリング３５がパイプ嵌合部３１の外周壁を囲むように設置され、かつ水入口パイプ部２２の内周壁と密接するように設置されることにより、水道水が水入口パイプ部２２から漏れることを防ぐ。
【００２３】
図１及び図２が示すように、本実施形態では、接合部３２の外周周りに溝３２１が形成されていて、隔離パッド３３の内周面の溝３２１に対応する位置に対応した凸部３３１が形成されて、隔離パッド３３が凸部３３１を溝３２１に係合することにより接合部３２の外周面に嵌合される。具体的に言うと、隔離パッド３３が凸部３３１を溝３２１に係合することにより接合部３２の外周面に密接することができる。なお、接合部３２が本実施形態ではフランジである。
【００２４】
図３及び図４を参照してもらいたい。本考案の第二実施形態の水道用サドル付分水栓の分流装置１００Ａが第一実施形態との差は、パイプ嵌合部３１Ａと水入口パイプ部２２Ａとの螺合は嵌合パイプ部３１Ａの内周壁にある対応ネジ溝３１１Ａが水入口部２２Ａの外周壁にある接合にネジ溝２２２Ａと螺合することによって螺合して、かつ嵌合パイプ３１Ａの外周壁が水入口通過孔１２Ａの内周壁と密接する。分水栓部２１と水入口パイプ部２２Ａの接合する部分には二つの係止部２２１Ａが含まれ、水入口パイプ通過孔１２Ａの内周壁には二つの対応係止部１２１Ａが含まれて、二つの係止部２２１Ａがそれぞれ二つの対応係止部１２１Ａと係止することにより、嵌合パイプ３１Ａが水入口パイプ通過孔１２Ａに係止される。本実施形態では、係止部２２１Ａが突起であり、対応係止部１２１Ａが凹みである。隔離リング３４Ａが水入口パイプ部２２Ａの外周壁２２Ａを囲むように設置されて、かつ前記隔離リング３４Ａが嵌合パイプ部３１Ａ及び水入口パイプ通過孔１２Ａの上端部１２２と密接することにより、汚水や不純物が嵌合パイプ部３１Ａの外周壁と水入口通過孔の内周壁との間の隙間から水道管Ｐに滲入することを防ぐ。漏れ止めリング３５Ａが水入口部２２Ａの下端部を囲むように設置され、かつ嵌合パイプ部３１Ａの内周壁と密接するように設置されることにより、水道水が嵌合パイプ部３１Ａから漏れることを防ぐ。
【００２５】
前述の構成により、本考案の水道用サドル付分水栓は分水栓と隔離管を螺合することにより互いに螺合して、サドル１を用いて水道管に接続する。これにより、本考案は汚水や不純物が分水栓２とサドル１との接合する部分から水道管Ｐに滲入することを防ぎ、水道水が汚染されることを避ける。第一の実施形態では、嵌合パイプ部３１の外周壁には隔離リング３４がさらに設置されていて、汚水や不純物が水入口パイプ部２２の外周壁と水入口パイプ通過孔１２の内周壁との間の隙間から水道管Ｐに滲入することを効果的に防ぐ。第二実施形態において、水入口パイプ部２２Ａの外周壁には隔離リング３４Ａがさらに設置されていて、汚水や不純物が水道管Ｐの配水管の周辺から嵌合パイプ部３１Ａの外周壁と水入口パイプ通過孔１２の内周壁との間の隙間に滲入することを効果的に防ぐ。また、既知の技術では、分水栓の接合する部分の外周壁とサドルの接合部分の内周壁がそれぞれ加工されて互いに螺合することができるネジ溝が形成され、かつ加工後に、サドルの接合する部分の内周壁のネジ溝が漏れ止め用の固定用糊が塗布されてから、分水栓がサドルと螺合する。しかしながら、従来のサドルの接合する部分の内周壁のネジ溝が長時間使用されると酸化して錆が生成されて、錆も固定用糊も水道管に滲入して水道水を汚染する可能性がある。故に、本考案はサドルの製造工程を簡易化することができ、サドルの接合する部分がネジ溝加工及び固定用糊の塗布が必要なくなり、サドルの使用期限を延ばすと同時に従来の技術における錆の生成や固定糊の使用を避けることができる。
【００２６】
本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００２７】
１００、１００Ａ  水道用サドル付分水栓
１                サドル
１１              サドル本体
１１１            上サドル
１１２            下サドル
１２              水入口パイプ通過孔
１２１、１２１Ａ  対応係止部
１２２            上端部
１２３            下端部
１３              メインパイプ通過部１３
２                分水栓
２１              分水栓部
２２、２２Ａ      水入口パイプ部
２２１、２２１Ａ  係止部
２２２、２２２Ａ  接合ネジ溝
２３              分水パイプ部
３                隔離管
３１、３１Ａ      嵌合パイプ部
３１１、３１１Ａ  ネジ溝
３２              接合部
３２１            溝
３３              隔離パッド
３３１            凸部
３４、３４Ａ      隔離リング
３５、３５Ａ      漏れ止めリング
Ｐ                水道管
Ｒ                管路
【図１】
0003224907.tif 000003
【図２】
0003224907.tif 000004
【図３】
0003224907.tif 000005
【図４】
0003224907.tif 000006